(57)【特許請求の範囲】
【請求項１】
映像入力用レンズから採光された映像を撮像素子によって電気信号に変換し、ディスク状記憶媒体に記録および再生を行なうカメラ用ディスク装置において、前記映像入力用レンズの光軸方向と、前記ディスク状記憶媒体に信号を記録、および再生する光ピックアップの移送方向を略同一方向に配設したことを特徴とするカメラ用ディスク装置。
【発明の詳細な説明】
【０００１】
【産業上の利用分野】
本発明はディスク状記録媒体を用いた記録再生装置の媒体に被写体の映像をビデオ信号に変換して入力するカメラ用ディスク装置に関するものである。
【０００２】
【従来の技術】
図７は例えば実開昭６０−２１７３０号公報に示された従来のカメラ用ディスク装置を示す要部側面断面図である。図において、１はカメラ用ディスク装置の筐体、２は筐体１の前方に具備されたレンズ、３はレンズ２の後方に配設された反射鏡、４は反射鏡の上部に配設されたプリズム、５はプリズム４の後方に配設された接眼レンズ、６は反射鏡３の後方に配設された撮像素子、７は撮像素子６の後方に具備された駆動機構部、８は駆動機構部７に装着され、内部にディスク状記憶媒体（以下、ディスクと略す）を封入したカートリッジである。
【０００３】
次に動作について説明する。図７において、まず撮影すべき被写体の映像を確認する場合、反射鏡３は実線で示された角度に設定されており、レンズ２より採光する光軸は反射鏡３によって、直角に反射し、つぎにプリズム４、接眼レンズ５を通過するので、撮影者は目を接眼レンズ５に近付けると撮影すべき映像を確認できる。つぎに、実際にディスクに映像を記録する場合、図示を省略した録画ボタンを押すと、反射鏡３は２点鎖線で示された角度に回動し、レンズ２より採光される被写体の映像は、直接撮像素子６に入射して電気信号に変換され、ディスクに記録される。
【０００４】
【発明が解決しようとする課題】
従来のカメラ用ディスク装置は以上のように構成されているので、撮影すべき被写体の映像と同一画像を撮影者の目で確認しようとすると録画ボタンと連動して所定の角度に回動する反射鏡、および反射鏡を駆動させるための駆動機構が必要なため、部品点数が多く装置の構成が複雑となり、また実際に録画している間は、接眼レンズにはレンズから採光された映像が到達しなくなるため、動画の連続撮影には適応できない等の問題点があった。
【０００５】
本発明は上記のような問題点を解消するためになされたもので、動画の記録時であっても簡素な構成で撮影すべき映像と同一画像を確認できるディスク装置を得ることを目的とする。
【０００６】
【課題を解決するための手段】
本発明に係るカメラ用ディスク装置は、映像入力用レンズの光軸方向と、ディスクに信号を記録及び再生する光ピックアップの移送方向を略同一方向に配設したものである。
【００１２】
【作用】
本発明に係るディスク装置において、撮影時に装置をパーンニングするときに生ずる速度変化によって光ピックアップは加振されない。
【００１８】
【実施例】
実施例１．
図１乃至図６は本発明の一実施例によるカメラ用ディスク装置、およびその各部を示す図であり、図１はカメラ用ディスク装置の平面要部断面図、図２は請求項３，４に係る装置の収納時の状態を示す図１のＩＩ−ＩＩ線断面図、図３は請求項３，４に係る装置の使用時の状態を示す図１のＩＩ−ＩＩ線断面図、図４は請求項１に係る図２の矢視Ａによる正面図、図５は請求項４〜６に係る装置の使用時の状態を示す図３のＶ−Ｖ線断面図、図６は請求項４〜６に係る装置の収納時の状態を示す図２のＶＩ−ＶＩ線断面図である。図において、１０は撮像素子６の前方に配設された映像入力用レンズ、１１は映像入力用レンズの右側に配設された右目用光学ファインダー、１２は映像入力用レンズ１０の光軸Ｏ−Ｏ’と右目用光学ファインダー１１の光軸Ｒ−Ｒ’の距離と同一距離の間隔をおいて映像入力用レンズ１０の左側に配設された左目用光学ファインダー、１３は映像入力用レンズ１０、右目用光学ファインダー１１、左目用光学ファインダー１２を固着した第１の筐体、１４、１５は各々第１の筐体１３に固着され、右目用光学ファインダーを構成しているレンズ、１６、１７は各々第１の筐体１３に固着され、左目用光学ファインダー１２を構成しているレンズ、１８は第１の筐体の後部に固着され、右目用光学ファインダー１１を構成している接眼レンズ、１９は第１の筐体の後部に固着され、左目用光学ファインダーを構成している接眼レンズ、２０、２１は各々接眼レンズ１８、１９の後部に配設され、第１の筐体に固着されたアイキャップである。
【００１９】
２２、２３は各々回動軸２４、２５を中心に、第１の筐体１３に回動可能に軸支された固定部材、２６、２７は各々一端を第１の筐体１３に形成された係止ピン２８、２９に懸架され、他端を固定部材２２、２３に形成された係止ピン３０、３１に懸架された引きバネ、３２、３３は各々固定部材２２、２３の一端に植設された係合ピン、３４、３５は各々係合ピン３２、３３を挿通した摺動溝、３６、３７は各々摺動溝３４、３５に形成された第１の端部、３８、３９は各々摺動溝３４、３５に形成された第２の端部、４０は摺動溝３４、３５を形成した摺動板、４１は摺動板４０を固定した駆動機構部７のシャーシ、４２はシャーシ４１に固着された第２の筐体、４３は第２の筐体４２の右側面に形成された排出口、４４は第１の筐体１３、および第２の筐体４２の右側によって形成された右側グリップ部、４５は第１の筐体１３、および第２の筐体４２の左側によって形成された左側グリップ部である。
【００２０】
４６はシャーシ４１に取り付けられたガイドシャフト、４７はガイドシャフト４１に長手方向に対して摺動自在に挿通された光ピックアップ、４８は光ピックアップ４７に係合し、シャーシ４１に回転自在に支承された送りネジ、４９は送りネジ４８に固着されたウォームホイール、５０はウォームホイール４９に係合したウォーム、５１はウォーム５０を固着したモータ、５２はシャーシ４１に具備されたスピンドルモータ、５３はスピンドルモータ５２に固着されたターンテーブル、５４はターンテーブル５３に定着され、光ピックアップ４７のレーザ光によって信号を記録、および再生されるディスク、５５は内部にディスク５４を封入し、駆動機構部７に装着されたカートリッジ、５６は光ピックアップ４７と同軸にガイドシャフト４６に摺動自在に挿通された磁気ヘッド、５７は第１の筐体に取り付けられ、映像入力用レンズ１０を固定した三脚固定用金具である。
【００２１】
次に動作について図１〜図６を用いて説明する。まず撮影を行なわない状態、つまり装置の収納時は図２、及び図６に示すように第１の筐体１３と第２の筐体４２は互いに近接した距離に位置しており、この状態で引きバネ２６は懸架されている係止ピン２８、３０の中心を結ぶ線Ｂ−Ｂ’上に付勢力が働き、回動支点２４は線Ｂ−Ｂ’よりも上方に位置しているため、固定部材２２は矢印Ｃの方向に回転力を発生する。しかし係合ピン３２が摺動溝３４の第２の端部３８に当接しているため固定部材３８の回動は阻止されている。同様に引きバネ２７は懸架されている係止ピン２９、３１の中心を結ぶ線Ｄ−Ｄ’上に付勢力が働き、回動支点２５は線Ｄ−Ｄ’よりも上方に位置しているため、固定部材２２は矢印Ｅの方向に回転力を発生する。しかし係合ピン３３が摺動溝３５の第２の端部３９に当接しているため固定部材３９の回動は阻止されている。このため第１の筐体１３と第２の筐体４２は、各々係合ピン３２、３３と第２の端部３８、３９の当接によって位置決め固定されている。
【００２２】
また、図１、および図２に示すようにシャーシ４１を介して第２の筐体４２に固定された駆動機構部７はレンズ１５、１６と接眼レンズ１８、１９の間に配設されている。つまり撮影を行なわないときは光学ファインダーを覗いて撮影すべき映像を確認する必要が生じないため光軸Ｒ−Ｒ’の間を遮断する部品が介入しても弊害がなく、むしろ第１の筐体１３と第２の筐体４２が近接することによって装置の厚みが抑えられるため、装置を持ち運ぶときに有利となる。
【００２３】
つぎに、撮影を開始しようとするとき、装置の使用者は第１の筐体１３を上方に引き上げる。そうすると固定部材２２、２３は各々引きバネ２６、２７の付勢力に抗じて矢印Ｆ，Ｇの方向に回動する。さらに第１の筐体１３を上方に引き上げると図５に示すように引きバネ２６の付勢力が働く方向Ｂ−Ｂ’線は回動軸２４の上方に移動するため、固定部材２２はさらに矢印Ｆの方向に回動する。固定部材３０が回動すると係合ピン３２は摺動溝３４を左から右方向に摺動し、第１の端部に当接する。同様に引きバネ２７の付勢力が働く方向Ｄ−Ｄ’線は回動軸２５の上方に移動するため、固定部材２３はさらに矢印Ｇの方向に回動する。固定部材３１が回動すると係合ピン３３は摺動溝３５を右から左方向に摺動し、第１の端部に当接する。この状態で固定部材２２、２３の回動は阻止され第１の筐体１３は上方で位置決め固定される。このとき右目用光学ファインダー１１、および左目用光学ファインダー１２の光軸Ｒ−Ｒ’、Ｌ−Ｌ’の方向には駆動機構部７、およびその他の部品はすべてレンズ１５、１６の外形より外側に配設されるため、撮影すべき被写体の映像を右目用光学ファインダー１１、および左目用光学ファインダー１２を覗いて確認可能となり、このとき確認される映像は右目用光学ファインダー１１、と左目用光学ファインダー１２の光軸Ｒ−Ｒ’とＬ−Ｌ’の中心位置に光軸Ｏ−Ｏ’を有する映像入力用レンズ１０を配設しているため、映像入力用レンズ１０が撮像素子６に入力される映像と両目で光学ファインダーを覗いたときに結像される映像は同一となる。
【００２４】
つぎに、実際に撮影を開始するとき撮影者は図示を省略した録画スイッチを押すと、スピンドルモータ５２が起動してディスク５４が回転し、光ピックアップ４７は撮像素子６から出力された映像信号を磁気ヘッド５６と共動してディスク５４に記録する記録が進行するにつれて光ピックアップ４７、および磁気ヘッド５６は、モータ５１の起動力がウォーム５０、ウォームホイール４９を介して伝達されて回転する送りネジとの係合により矢印Ｈ方向に移送される。撮影中に被写体が左右に移動するときは撮影者は装置を左右にパーンニングして被写体の移動を追従する。このとき生じる左右方向の加速度変化によって各部品は質量に応じた重力が左右方向に加わるが、光ピックアップ４７、および磁気ヘッド５６はガイドシャフト４６との勘合によって左右方向の移動が規制されているため、光ピックアップ、および磁気ヘッド５６は左右方向には微動せず、ディスク５４に対して安定した信号の記録を行なう。
【００２５】
つぎに、光ピックアップ４７、および磁気ヘッド５６がモータ５１によってＨ方向への移送が長時間撮影のために連続的に行なわれ、ディスク５４の略最外周に到達したとき、あらかじめ設定されたシステムプログラムモードによってカートリッジ５５は図５の１点鎖線に示す位置まで駆動機構部によって排出口より排出される。さらに撮影者が撮影を続行する場合は、右側グリップ部４４に添えた右手の親指、および人差指を右方向にすべらし、つぎに排出されたカートリッジ５５を右手５８の親指５９、および人差指６０によってつかみ出し、他のディスクを排出口４３から挿入して再び録画を行なう。このとき左手６１は左側グリップ部４５からはなさなくてもカートリッジ５５の交換が容易に行えるため、撮影者はカートリッジ５５の交換中でも被写体の動きを右目用光学ファインダー１１、あるいは左目用光学ファインダー１２を覗いて追従できる。
【００２６】
また、撮影を終了するときは第２の筐体４２を下方に押し下げると、固定部材２２、２３は、各々引きバネ２６、２７の付勢力に抗じて矢印Ｃ、矢印Ｅ方向に回動して図６に示す状態となり、各々係合ピン３２、３３が第２の端部３８、３９に当接して第２の筐体４２は第１の筐体１３に位置決め固定される。
【００２７】
【発明の効果】
本発明のディスク装置は、映像入力用レンズの光軸方向と、ディスクに信号を記録及び再生する光ピックアップの移送方向を略同一方向に配設したので、撮影時に装置をパーンニングするときに生ずる速度変化によって光ピックアップは加振されないので、安定した信号の記録が可能となり、信頼性の高い装置が得られる効果がある。
【図面の簡単な説明】
【図１】本発明の一実施例によるカメラ用ディスク装置要部を示す平面要部断面図である。
【図２】本発明の請求項３〜４に係る装置の収納時の状態を示す図１のＩＩーＩＩ線縦断面図である。
【図３】本発明の請求項３〜４に係る装置の使用時の状態を示す図１のＩＩ−ＩＩ線縦断面図である。
【図４】本発明の請求項１に係る図２の矢視Ａによる正面図である。
【図５】本発明の請求項４〜６に係る装置の使用時の状態を示す図３のＶ−Ｖ線縦断面図である。
【図６】本発明の請求項４〜６に係る装置の収納時の状態を示す図２のＶＩ−ＶＩ線縦断面図である。
【図７】従来のカメラ用ディスク装置を示す要部縦断面図である。
【符号の説明】
６  撮像素子
７  駆動機構部
１１  右目用光学ファインダー
１２  左目用光学ファインダー
１３  第１の筐体
１４、１５、１６、１７  レンズ
１８、１９  接眼レンズ
２２、２３  固定部材
２６、２７  引きバネ
３２、３３  係合ピン
３４、３５  摺動溝
４２  第２の筐体
４３  排出口
４４  右側グリップ部
４５  左側グリップ部
４７  光ピックアップ
５４  ディスク
【図１】
0003546458.tif 000002
【図２】
0003546458.tif 000003
【図３】
0003546458.tif 000004
【図４】
0003546458.tif 000005
【図５】
0003546458.tif 000006
【図６】
0003546458.tif 000007
【図７】
0003546458.tif 000008